(57)【要約】   【課題】入隅の屋根から軒樋に流れ込む雨水が跳ね返って飛散しても鼻板を濡らすことがなく、長期に亘って鼻板の品質保持ができる軒樋用内飾り板構造を提供することを目的とする。  【解決手段】建物の入隅部の軒先２１に一対の軒樋２２が配置され、一対の軒樋２２が連結される入隅の領域で軒樋２２に内飾り板２３が形成される。  内飾り板２３は一対の前壁２２ａの上端部２２ｄの突起２２ｅに沿って垂設される一対の内飾り板本体２４から成り、この一対の内飾り板本体２４に水返し部２５が突設される。水返し部２５は一対の内飾り板本体２４に沿って設けられる一対の水平板２６と、この一対の水平板２６の先端部２６ａから内飾り板本体２４と平行に上方へ突出する一対の垂直板２７とで溝状に形成される。一対の水平板２６と一対の垂直板２７と一対の内飾り板本体２４は対称面Ｇ上で垂直リブ２８を介して互いに連結される。【選択図】  図１
2010229675.tif 000002
【特許請求の範囲】
【請求項１】
軒先の入隅に配置される前壁と後壁と底壁から成る断面凹形状の一対の軒樋用内飾り板構造であって、
前記内飾り板は一対の前記前壁の上端部に沿って垂設される一対の内飾り板本体から成り、この一対の内飾り板本体に突設される水返し部が前記一対の内飾り板本体の下端部から軒先に向かって設けられる一対の水平板と、この一対の水平板の先端部から上方へ突出する一対の垂直板とで形成されることを特徴とする軒樋用内飾り板構造。
【請求項２】
前記一対の水平板と前記一対の垂直板と前記一対の内飾り板本体は垂直リブを介して互いが連結されることを特徴とする請求項１に記載の軒樋用内飾り板構造。
【発明の詳細な説明】
【技術分野】
【０００１】
本発明は、建築物の軒先の入隅に配置される軒樋用内飾り板の構造に関し、詳しくは、軒樋に落下する雨水が跳ね返っても鼻板を濡らすことがない軒樋用内飾り板構造に関する。
【背景技術】
【０００２】
従来、入隅の屋根から軒樋に落下する雨水が跳ね返って鼻板を濡らすことにより鼻板が汚れて見栄えが悪く品質が損なわれるという問題があった。
【０００３】
この問題を解決する方法が特許文献１に開示されている。図６に示すように、特許文献１の軒樋１は入隅において平面視略Ｌ字状に継手１ｂを介して配置され、入隅用飾り板３も合成樹脂等にて平面視略Ｌ字状に形成され必要に応じて適宜模様等が設けられる。この入隅用飾り板３は水平片１２と垂直差し込み片１３を備え、垂直差し込み片１３を介して軒樋１の前壁の上部に取付けられる。そして、この入隅用飾り板３の略直角に屈曲したコーナー部の内面に水返し部４を平面視略Ｌ字状に設ける。水返し部４は水平面４ａと垂直面４ｂを備えて平面視略Ｌ字状に形成され、水平面４ａは水平片１２の上方で水平片１２と平行であり、垂直面４ｂは差し込み片１３より内側で差し込み片１３と平行である。
【０００４】
このように、入隅用飾り板３の直角に屈曲するコーナー部の内面側では軒樋１のコーナー部の内面側が水返し部４にて覆われる。このため、屋根５の谷部６の谷樋６ａから流れ込む雨水が水返し部４に当たって左右にスムーズに分けられるので、入隅用飾り板３の上端縁を越える程度には飛散することが無いので入隅用飾り板３から外側に雨水がこぼれない。
【先行技術文献】
【特許文献】
【０００５】
【特許文献１】特開平１１−９３３４８号公報
【発明の概要】
【発明が解決しようとする課題】
【０００６】
ところが、強雨や雨量が多い場合に入隅の屋根からの雨水Ｙが入隅用飾り板３で跳ね返った雨水Ｙ１が水返し部４の水平面４ａで跳ね返り、その雨水Ｙ２で鼻板が濡れるのため、経年変化によって鼻板が汚れてその品質性が損なわれるという問題があった。なお、雨量が少ない場合でも水平片１２に跳ね返って鼻板が汚れるという問題があった。
【０００７】
そこで、本発明はかかる従来技術の問題に鑑みなされたものであって、入り隅の屋根から軒樋に流れ込んだ雨水が跳ね返って飛散しても鼻板を濡らすことがなく、長期に亘って鼻板の品質保持ができる軒樋用内飾り板構造を提供することを目的とする。
【課題を解決するための手段】
【０００８】
請求項１の発明は、軒先の入隅に配置される前壁と後壁と底壁から成る断面凹形状の一対の軒樋用内飾り板構造であって、前記内飾り板は一対の前記前壁の上端部に沿って垂設される一対の内飾り板本体から成り、この一対の内飾り板本体に突設される水返し部が、前記一対の内飾り板本体の下端部から軒先に向かって設けられる一対の水平板と、この一対の水平板の先端部から上方へ突出する一対の垂直板とで形成されることを特徴としている。
【０００９】
請求項２の発明は、前記一対の水平板と前記一対の垂直板と前記一対の内飾り板本体は垂直リブを介して互いが連結されることを特徴としている。
【発明の効果】
【００１０】
請求項１記載の発明によれば、一対の内飾り板本体に突設される水返し部が、前記一対の内飾り板本体の下端部から軒先に向かって設けられる一対の水平板と、この一対の水平板の先端部から上方へ突出する一対の垂直板とで形成されるので、軒先から軒樋に流れ込んだ雨水が内飾り板本体に衝突して跳ね返えった場合に、雨水が大量の場合や風等の影響で乱流の状態でも雨水が垂直リブによって跳ね返されるので、軒先や鼻板を濡らすことがないので長期に亘って鼻板の品質保持することができる。同様に、雨量が少ない場合でも垂直リブによって跳ね返されるので長期に亘って鼻板の品質保持することができる。
【００１１】
請求項２の発明によれば、前記一対の水平板と前記一対の垂直板と前記一対の内飾り板本体は垂直リブを介して互いが連結される。このため、前記水返し部が前記垂直リブによって水平に二分割されるので、軒先から軒樋に流れ込む雨水の状態が風等の影響で水平方向にずれて流れたときでも、雨水が二分割された前記水返し部の一方に集中的に流入するのを防止できるので、雨水が分散されてその流勢が緩和できるため請求項１に記載の効果と同様の効果がさらに確実に得られる。
【図面の簡単な説明】
【００１２】
【図１】本発明の実施形態における、建物の入隅部の軒先２１の一対の軒樋２２に形成された軒樋２２の内飾り板２３に設ける水返し部２５の状態を示す斜視図である。
【図２】本発明の実施形態における、図１のＡ矢視図である。
【図３】本発明の実施形態における、内飾り板２３の詳細斜視図である。
【図４】本発明の実施形態における、図１のＢ−Ｂ矢視図である。
【図５】本発明の実施形態における、図２のＣ−Ｃ矢視図である。
【図６】従来の軒樋１に設けた水返し部４の状態を示す斜視図である。
【発明を実施するための形態】
【００１３】
＜軒樋の内飾り板構造の構成＞
以下に、本発明の実施形態を図１〜図５に基づいて説明する。
【００１４】
図１、図２、図３に示すように、建物の入隅部における屋根２０の軒先２１に一対の軒樋２２が配置され、この一対の軒樋２２が連結される入隅の領域に内飾り板２３が形成される。
【００１５】
軒樋２２は前壁２２ａと後壁２２ｂと底壁２２ｃで断面凹形状に形成され、前壁２２ａの上端部２２ｄに軒樋２２の内部側に折れ曲がる前耳としての突起２２ｅを備える。同様に、後壁２２ｂの上端部２２ｆに軒樋２２の内部側に突出する後耳としての突起２２ｇを備える。軒樋２２は突起２２ｅ、２２ｇを図示しない吊金具で吊下げることで建物の軒先２１の図示しない鼻板に取付けられる。
【００１６】
一対の軒樋２２に設けられる内飾り板２３は一対の前壁２２ａの上端部２２ｄの突起２２ｅに沿って垂設される一対の内飾り板本体２４から成り、この一対の内飾り板本体２４に水返し部２５が突設される。
【００１７】
水返し部２５は一対の内飾り板本体２４に沿って設けられる一対の水平板２６と、この一対の水平板２６の先端部から内飾り板本体２４と平行で上方に突出する一対の垂直板２７とで平面視略Ｌ字状で溝状に形成される。なお、水平板２６は内飾り板本体２４における下端２４ａの水平部２４ｂの長さの略半分の領域に形成される。
【００１８】
一対の水平板２６と一対の垂直板２７と一対の内飾り板本体２４は中心線（対称面）Ｇに沿って配置される垂直リブ２８を介して互いに連結される。
【００１９】
ここで、軒先２１の入隅における開度は平面視θ＝略９０度で、入隅の両側の屋根２０は向い合って傾斜しているので、入隅の中心線Ｐの近傍には両側の屋根２０から集まって流れ落ちる雨水Ｗ１を受けるための溝部３０が形成され、この溝部３０に集まる雨水Ｗ２が内飾り板本体２４に向かって落水する。なお、中心線Ｇと中心線Ｐは同一垂直面上に位置する。
【００２０】
軒樋２２、内飾り板２３、水返し部２５の材質は、ステンレスや亜鉛メッキをした金属、あるいは軽量化や耐腐食性を考慮して例えば硬質塩化ビニール樹脂等の合成樹脂材料で形成される。
【００２１】
＜軒樋の内飾り板構造の作用＞
図４に示すように、屋根からの雨水Ｗ２は内飾り板本体２４で跳ね返って雨水Ｗ３となり、雨水Ｗ３は水返し部２５に向かって水平板２６で跳ね返って雨水Ｗ４となり、さらに跳ね返って垂直板２７に当たった後に水平板２６に落下して流出する。このように、屋根２０の溝部３０に集まって流れる雨水Ｗ２が内飾り板本体２４に向かって落水しても水返し部２５の垂直板２７に当たって軒樋２２側に跳ね返されるので、雨水Ｗ４が鼻板５０を濡らすことなく、雨量が多い場合や少ない場合でも長期に亘って鼻板の品質保持することができる。
【００２２】
同様に、図５に示すように、屋根２０の溝部３０に集まった雨水Ｗ２が風によって中心線Ｇからずれて一方（図における右側）の内飾り板本体２４側に向かって流れた場合に、雨水Ｗ２は垂直リブ２８によって分流される。このため、一部の雨水Ｗ２は一方の内飾り板本体２４側にそのまま流れるが、残りの雨水Ｗ２は他方（図における左側）の水平板２６で跳ね返って雨水Ｗ５となり、雨水Ｗ５は中心線Ｇ上に設けられた垂直リブ２８に雨水Ｗ６として跳ね返える。このように、垂直リブ２８によって屋根２０の溝部３０からの雨水Ｗ２を一対の内飾り板本体２４側に分散することができるので流勢が分散できるため鼻板５０の濡れを防ぐことができる。
【００２３】
以上、本発明の実施例を図面に基づいて説明したが、具体的な構成はこの実施例に限られるものではなく本発明の要旨を逸脱しない範囲の設計変更等があっても本発明に含まれる。
【００２４】
例えば、水返し部２５の水平板２６は内飾り板本体２４の水平部２４ｂを利用して形成しても良い。水平板２６は水平部２４ｂと同じ全領域に形成しても構わない。水返し部２５の水平板２６の幅と垂直板２７の高さ、及び垂直リブ２８の高さは現場の状況に合わせて適宜決定される。
【符号の説明】
【００２５】
２１  軒先
２２  軒樋
２２ａ  前壁
２２ｄ  上端部
２２ｅ  突起
２３  内飾り板
２４  内飾り板本体
２５  水返し部
２６  水平板
２６ａ  先端部
２７  垂直板
２８  垂直リブ
【図１】
2010229675.tif 000003
【図２】
2010229675.tif 000004
【図３】
2010229675.tif 000005
【図４】
2010229675.tif 000006
【図５】
2010229675.tif 000007
【図６】
2010229675.tif 000008